(57)【要約】    【課題】 本発明の対象は、中に動力機構（５２）が配置してあるナセル（５０）を含む航空機の推進用集合体であり、    【解決手段】前記ナセルが前部で空気取り入れ口（５６）と導管（５４）を画定する内壁を含んでおり、推進用集合体が、一方では、熱気を動力機構（５２）から空気取り入れ口（５６）に向けて送るために、流動する空気の調整手段を備えた少なくとも１つの第１導管（６２）を備えている霜処理システムを含んでおり、および他方では、熱気を動力機構から送り出し区域に向けて送るための流動する空気の調整手段を備えた少なくとも１つの第２導管（７０）を備えている吐出用システムを含んでおり、少なくとも１つの前記第２導管（７０）が少なくとも１つの第１導管（６２）に連結されており、少なくとも１つの前記第１導管（６２）内を流動する空気の調整手段が、少なくとも１つの前記第２導管（７０）内を流動する空気の調整手段とは別個であることを特徴としている。  【選択図】  図３
2011508143.tif 000002
【特許請求の範囲】
【請求項１】
推進用集合体が、中に動力機構（５２）が配置してあるナセル（５０）を含んでおり、前記ナセルが、前部で空気取り入れ口（５６）と導管（５４）を画定する内壁を含んでおり、該推進用集合体が、一方では、熱気を動力機構（５２）から空気取り入れ口（５６）に向けて送るために、流動する空気の調整手段（６６）を備えた少なくとも１つの第１導管（６２）を備えている霜処理システムを含んでおり、他方では、空気を動力機構から送り出し区域に向けて送るための調整手段（７２）を備えた少なくとも１つの第２導管（７０）を備えている吐出用システムを含んでおり、少なくとも１つの前記第２導管（７０）が、少なくとも１つの前記第１導管（６２）に連結されており、少なくとも１つの前記第１導管（６２）が、少なくとも１つの前記第２導管（７０）内を流動する空気の調整手段（７２）とは別個であることを特徴とする航空機の推進用集合体。
【請求項２】
少なくとも１つの前記第２導管（７０）が、少なくとも１つの前記第１導管（６２）および少なくとも１つの前記第２導管（７０）内を流動する空気の前記調整手段（６６，７２）の後に、少なくとも１つの前記第１導管（６２）に連結してあることを特徴とする、請求項１による航空機の推進用集合体。
【発明の詳細な説明】
【技術分野】
【０００１】
本発明は、動力機構の騒音発生の減少を狙いとする熱気の採取システムを含む航空機の前記推進用集合体に関する。          
【背景技術】
【０００２】
図１と図２に、支柱を介して動力機構１２を航空機の他の部分に連結されており、ほぼ同心円的に配置してある、ナセル１０を含む航空機の推進用集合体を示しておいた。
【０００３】
ナセル１０は、前部に空気取り入れ口１６と導管１４を画定する内壁を含んでおり、一次流束と呼ばれている、流入する空気の流束の第１部分が、燃焼に参加するために動力機構１２を流通しており、ならびに二次流束と呼ばれている空気の流束の第２部分が送風機１８に牽引されて、ナセルの内壁と動力機構の外壁で画定されている環状導管２０を流動する。
【０００４】
動力機構１２は、離陸時に、例えば動力機構の「ポンプ吸引」現象を避けるための吐出用システムを含んでおり、前記システムは、採取の第１点２２のレベルで燃焼室内での空気の採取を許し、動力機構１２の外側にその空気を排出することを許している。
【発明の概要】
【発明が解決しようとする課題】
【０００５】
そのために、動力機構は、採取の第１点２２から送り出し区域に向けて、とりわけ排気コーン内に配設してある複数の孔部を介して、環状導管２０に口が開いている孔部２８を介して、特定条件で、空気を動力機構の外側に送り出すために、弁２６を備えている導管２４を含んでいる。このシステムは、「ペッパーポット」と呼ばれている。
【０００６】
環状導管２０内へのこの排出は、騒音を発生する大きな欠点を有する。
【０００７】
それと平行して、推進用集合体は、動力機構のレベルで熱気を採取し、前記熱気を空気取り入れ口１６のレベルに送り出すことを狙いとする空圧型の霜処理システムを含むことができる。この種のシステムは、ＥＰ−１．２３２．９４４号文書に特に記述されている。
【０００８】
この霜処理システムは、動力機構内で、採取用第２点３４から空気取り入れ口に向けて空気を送るために、場合によって吐出量の調整手段３２を備えている少なくとも１つの導管３０を含んでいる。そのために熱気は、除霜を行うために空気取り入れ口のレベルで流動した後、ナセルの導管１４内に入ってくる空気の風路内に排出される。空気取り入れ口の除霜のために利用される熱気の送り出しは、音響公害を発生しない。
【課題を解決するための手段】
【０００９】
本発明は、動力機構が、前記動力機構の騒音発生、とりわけ吐出用システムによる騒音発生を減少させることを狙いとする動力機構内からの熱気の採取システムを備えている航空機の推進用集合体を提案することを狙いとしている。
【００１０】
そのために、本発明は、中に動力機構が配置してあるナセルを含む航空機の推進用集合体を対象としており、前記ナセルは、前部に空気取り入れ口と導管を画定する内壁を含んでおり、推進用集合体は、一方では、熱気を動力機構から空気取り入れ口に向けて送るために、流動する空気の調整手段を備えた少なくとも１つの第１導管を備えている除霜システムを含んでおり、他方では、空気を動力機構から送り出し区域に向けて送るために調整手段を備えている、少なくとも１つの第２の導管が備えてある吐出用システムを含んでおり、少なくとも１つの第２の導管が、前記第１の導管に連結してあり、少なくとも１つの前記第１の導管内を流動する空気の調整手段が、少なくとも１つの第２の導管を流動する空気の調整手段とは別であることを特徴としている。
【図面の簡単な説明】
【００１１】
その他の特性と利点は、添付図に照らして、単に例として示した記述である本発明のこれから先の記述で明らかになるだろう。
【図１】従来の技術による推進用集合体を図式的に示した断面図である。
【図２】従来の技術による採取システムを示した図である。
【図３】本発明による推進用集合体を図式的に示した断面図である。
【図４】本発明による採取システムを示した図である。
【発明を実施するための形態】
【実施例】
【００１２】
図３に、支柱を介して航空機の他の部分に、動力機構５２をほぼ同心円的に中に配置してあるナセル５０を含む航空機の推進用集合体を示しておいた。
【００１３】
ナセル５０は、唇部とも呼ばれている、前部の空気取り入れ口５６と導管５４で画定している内壁を含んでおり、一次流束と呼ばれている、流入する空気の流束の第１部分が、燃焼に参加すべく動力機構５２を貫流し、二次流束と呼ばれている空気の流束の第２部分が、送風機５８に牽引されて、ナセルの内壁と動力機構の外壁で画定されている環状導管６０内を流動する。
【００１４】
推進用集合体は、熱気を動力機構のレベルで採取し、前記熱気を空気取り入れ口５６のレベルに送り出すことを狙いとする空圧型霜処理システムを含んでいる。
【００１５】
この霜処理システムは、熱気を動力機構５２内での少なくとも１つの第１採取点６４から空気取り入れ口５６に向けて送るための少なくとも１つの第１導管６２を含んでいる。このシステムは、有利なことに、とりわけ空気取り入れ口に向けて送付した熱気の吐出量を調整するために、流動する空気の第１調整手段６６を含んでいる。
【００１６】
熱気は、除霜を実現するために空気取り入れ口５６のレベルで流動した後、外方に排出される。図３に示した実施態様では、除霜に利用された空気は、ナセルの導管５４内に流入する空気の風路内に排出される。しかしながら、本発明は、この解決策に限定されているのではなく、空気の排出は、ナセルの周縁で行える。
【００１７】
空気取り入れ口の除霜に使用された空気が送り出されても、音響公害が発生しない。
【００１８】
除霜システムおよび除霜に利用される空気の排出口は、当業者に知られているので、これ以上詳述しないことにする。他方では、前記除霜システムおよび除霜に利用される空気の排出口は、いろいろな配置構成、とりわけＥＰ−１．２３２．９４４号文書に記述されている配置構成になり得る。
【００１９】
補足として、推進用集合体は、空気を燃焼室内の第２採取点６８のレベルで採取して、動力機構５２の外側の送り出し区域に向けて排出することを狙いとする、とりわけ離陸時の動力機構の「ポンプ吸引」現象を避けるための吐出用システムを含んでいる。そのために、動力機構は、空気を第２採取点６８から採取し、送り出し区域に向ける、弁のような、流動する空気の少なくとも１つの第２導管を備えた第２調整手段７２を含んでいる。
【００２０】
本発明では、第２導管７０は、第１導管６２内から採取され、除霜のために使用された空気と同じ方法で空気が排出されるように、吐出用システムで前記空気を送り出すために、第２調整手段７２の後に第１導管６２に連結してある。
【００２１】
第２導管７０に向けての空気の調整手段７２は、２つの機能、すなわち除霜と吐出を最適な方法で確立するために、調整手段６６と異なっている。        
【００２２】
この解決策は、吐出用システムから発生された音響公害を排除する利点がある。
【００２３】
なお、この配置構成は、熱気の吐出量が、多めである限り、除霜を向上させるのに役立つ。
【００２４】
諸変形態様では、第１採取点６４と第２採取点６８は、動力機構の同一区域に配置すること、または別々の区域に配置することが可能である。
【符号の説明】
【００２５】
１０．ナセル
１２．動力機構
１４．導管
１５．導管
１６．空気取り入れ口
１８．送風機
２０．環状導管
２２．第１点
２４．導管
２６．弁
２８．孔部
３０．導管
３２．調整手段
３４．第２点
５０．ナセル
５２．動力機構
５４．導管
５６．空気取り入れ口
５８．送風機
６０．環状導管
６２．第１導管
６４．第１採取点
６６．第１調整手段
６８．第２採取点
７０．第２導管
７２．第２調整手段
【図１】
2011508143.tif 000003
【図２】
2011508143.tif 000004
【図３】
2011508143.tif 000005
【図４】
2011508143.tif 000006
【国際調査報告】
2011508143.tif 000007
2011508143.tif 000008
2011508143.tif 000009
2011508143.tif 000010